(57)【要約】【課題】  絵文字を利用している利用者に対しても的確な情報を提供することが可能な関連情報推薦システムを提供する。【解決手段】  絵文字とその絵文字の意味であるキーワードを対応付けて絵文字辞書記憶手段２０に記憶した状態で、利用者端末５０から絵文字を含む文書の要求があると、コンテンツ収集サーバ１０は、その文書に含まれる絵文字に対応するキーワードを取得して、広告配信サーバ３０に送信する。広告配信サーバ３０は、取得したキーワードで広告データのアドレスを取得して、コンテンツ収集サーバ１０に送信する。コンテンツ収集サーバ１０は、取得した広告データのアドレスを利用者端末５０に送信する。利用者端末５０は、取得した広告データを利用して広告配信サーバ３０から広告データを取得する。【選択図】  図１
2009175838.tif 000002
【特許請求の範囲】
【請求項１】
絵文字入りの文書を扱うことが可能な利用者端末と、
絵文字と当該絵文字の意味であるキーワードを対応付けて記憶した絵文字辞書記憶手段と、
前記利用者端末から文書を含むコンテンツを収集するコンテンツ収集サーバと、
キーワードと広告データのアドレスを対応付けて記憶した広告データ記憶手段と、
広告データを配信する広告配信サーバと、を有し、
前記コンテンツ収集サーバは、前記利用者端末から受信した文書に含まれる絵文字で前記絵文字辞書記憶手段を参照して、当該絵文字に対応するキーワードを取得し、当該キーワードを広告配信サーバに送信するものであり、
前記広告配信サーバは、前記コンテンツ収集サーバから受信したキーワードで前記広告データ記憶手段を参照し、対応する広告データのアドレスを取得して、前記コンテンツ収集サーバに送信し、外部から広告データの要求があった場合に、当該広告データをアクセス元に送信するものであることを特徴とする関連情報推薦システム。
【発明の詳細な説明】
【技術分野】
【０００１】
本発明は、絵文字を含む文書を扱う利用者に対して、その絵文字に関連する情報を推薦するための技術に関する。
【背景技術】
【０００２】
近年、コンピュータおよびネットワーク技術の進化により、コンピュータ端末や携帯電話機等からネットワークにアクセスして様々な情報を取得することができるようになってきている。さらに、最近では、利用者が入力した文書の内容を解析して、その利用者が興味を持ちそうな情報を提供する技術も利用されるようになってきている（例えば、特許文献１参照）。
【特許文献１】特表２００６−５００６９９号公報
【発明の開示】
【発明が解決しようとする課題】
【０００３】
最近では、携帯電話機によるネットワークの利用が増えており、携帯電話機に対しても、利用者が興味を持つ情報を提供したいという要望があるが、携帯電話では、絵文字が多く用いられており、この絵文字の解析が上手くできないため、的確な情報を提供できないという問題がある。
【０００４】
上記のような点に鑑み、本発明は、絵文字を利用している利用者に対しても的確な情報を提供することが可能な関連情報推薦システムを提供することを課題とする。
【課題を解決するための手段】
【０００５】
上記課題を解決するため、本発明は、絵文字入りの文書を扱うことが可能な利用者端末と、絵文字と当該絵文字の意味であるキーワードを対応付けて記憶した絵文字辞書記憶手段と、前記利用者端末から文書を含むコンテンツを収集するコンテンツ収集サーバと、キーワードと広告データのアドレスを対応付けて記憶した広告データ記憶手段と、広告データを配信する広告配信サーバと、を有し、前記コンテンツ収集サーバは、前記利用者端末から受信した文書に含まれる絵文字で前記絵文字辞書記憶手段を参照して、当該絵文字に対応するキーワードを取得し、当該キーワードを広告配信サーバに送信するものであり、前記広告配信サーバは、前記コンテンツ収集サーバから受信したキーワードで前記広告データ記憶手段を参照し、対応する広告データのアドレスを取得して、前記コンテンツ収集サーバに送信し、外部から広告データの要求があった場合に、当該広告データをアクセス元に送信するものである関連情報推薦システムを提供する。
【０００６】
本発明によれば、絵文字とその意味を対応付けた絵文字辞書を用意しておき、絵文字入りの文書を取得したときに、その文書に含まれる絵文字の意味を絵文字辞書から取得し、その意味に関連する情報を推薦するようにしたので、絵文字が使用されている文書を利用した利用者に対して、最適な関連情報を提供することが可能となる。
【発明の効果】
【０００７】
本発明によれば、絵文字を利用している利用者に対しても的確な情報を提供することが可能となる。
【発明を実施するための最良の形態】
【０００８】
（１．システム構成）
以下、本発明の実施形態について図面を参照して詳細に説明する。図１は、本発明に係る関連情報推薦システムの一実施形態を示す構成図である。図１において、１０はコンテンツ収集サーバ、２０は絵文字辞書記憶手段、３０は広告配信サーバ、４０は広告データ記憶手段、５０は利用者端末である。コンテンツ収集サーバ１０、広告配信サーバ３０、利用者端末５０は、インターネット等のコンピュータネットワークを介して互いにデータの送受信が可能となっている。
【０００９】
コンテンツ収集サーバ１０は、コンテンツを収集するサーバコンピュータであり、絵文字辞書記憶手段２０を管理している。コンテンツ収集サーバ１０の一例としては、ブログサイトを開設したブログサーバがある。ブログサーバは、契約した利用者からのコンテンツ（文書、写真等の日記を構成するデータ）を取得して、それをインターネット上で閲覧可能なように設定する。コンテンツ収集サーバ１０は、Ｗｅｂサーバ機能を有するサーバコンピュータに専用のプログラムを組み込むことにより実現される。絵文字辞書記憶手段２０は、絵文字（を示す文字コード）とその絵文字の意味（キーワード）を対応付けて記憶したものであり、コンテンツ収集サーバ１０に接続されたハードディスク等の記憶装置により実現される。
【００１０】
広告配信サーバ３０は、広告データを配信するサーバコンピュータであり、広告データ記憶手段４０を管理している。広告配信サーバ３０は、Ｗｅｂサーバ機能を有するサーバコンピュータにより実現される。広告データ記憶手段４０は、キーワードと広告データを対応付けて記憶したものであり、広告配信サーバ３０に接続されたハードディスク等の記憶装置により実現される。広告配信サーバ３０と広告データ記憶手段４０の組み合わせにより、キーワードを受信して、そのキーワードに対応する広告データを配信することができる。このような広告配信サーバ３０と広告データ記憶手段４０の組み合わせは、公知の技術で実現可能である。
【００１１】
利用者端末５０は、利用者が管理する端末装置であり、ネットワーク接続機能を有するパーソナルコンピュータや携帯電話機等により実現される。また、利用者端末５０は、絵文字を扱う機能を有している。図１の例では、利用者端末５０を１台だけ示しているが、実際には、ネットワーク上には、多数の利用者端末５０が存在する。
【００１２】
図２は、絵文字辞書記憶手段２０に記憶された情報の一例を示す図である。図２に示すように、絵文字辞書記憶手段２０には、絵文字を示す文字コードに対応付けて、その意味を示すキーワードが記憶されている。絵文字を示す文字コードの形式は、利用する絵文字の形式により定まるが、本実施形態では、１バイトで表現される。図３は、広告データ記憶手段４０に記憶された情報の一例を示す図である。図３に示すように、広告データ記憶手段４０には、キーワードに対応付けて広告データのＩＤが記録されている。キーワードは、複数の広告データに対応している場合もある。広告データ記憶手段４０内には、テキストや静止画や動画等で構成される広告データが記憶されているが、広告データのＩＤにより、その広告データのアドレスが特定できるようになっている。
【００１３】
（２．処理動作）
次に、本発明に係る関連情報推薦システムの処理動作について説明する。まず、利用者が絵文字を含む文書を作成し、作成した文書を利用者端末５０からコンテンツ収集サーバ１０に送信する。送信される文書中の各文字は、文字コードで記録されている。この場合、絵文字についても文字コードで記録されている。コンテンツ収集サーバ１０は、利用者端末５０から文書を受信すると、それを所定の記憶領域に格納し、外部からアクセス可能に設定する。
【００１４】
外部からアクセス可能に設定した文書は、その文書の入力元の利用者端末５０を含め、他の利用者端末５０からもアクセス可能となる。利用者端末５０から、文書の要求があった場合には、コンテンツ収集サーバ１０は、その文書を含むＷｅｂページを、その利用者端末５０に送信する。利用者端末５０では、Ｗｅｂページを受信すると、Ｗｅｂページ内において文書を構成する文字コードを、自身が保有する文字フォントに置き換えて画面に表示する。この際、利用者端末５０が絵文字のフォントを保有していれば、文書内の絵文字の文字コードを絵文字に置き換えて表示する。ここまでは、従来においても同じである。
【００１５】
本発明の特徴は、Ｗｅｂページに割り当てるべき広告データを、文書内の絵文字に応じて割り当てる点である。具体的には、利用者端末５０から文書の要求があった際、コンテンツ収集サーバ１０は、その文書内の各文字コードと、絵文字辞書記憶手段２０内の絵文字の文字コードとを照合する。文書内の文字コードに絵文字辞書記憶手段２０内の文字コードと一致するものがあった場合、コンテンツ収集サーバ１０は、その文字コードに対応するキーワードを抽出し、広告配信サーバ３０に送信する。
【００１６】
広告配信サーバ３０では、コンテンツ収集サーバ１０からキーワードを受信すると、そのキーワードで広告データ記憶手段４０を参照し、該当するキーワードが存在する場合には、対応する広告データのＩＤから広告データのアドレスを取得し、コンテンツ収集サーバ１０に送信する。
【００１７】
コンテンツ収集サーバ１０では、広告配信サーバ３０から広告データのアドレスを受信すると、そのアドレスをＷｅｂページ内にリンクとして貼り付ける。そして、広告データのアドレスを含むＷｅｂページを利用者端末５０に送信する。
【００１８】
利用者端末５０では、コンテンツ収集サーバ１０からＷｅｂページを受信すると、上述のように、Ｗｅｂブラウザが、文書の文字コードを文字フォントに置き換えて表示するとともに、Ｗｅｂページに貼り付けられた広告データのアドレスを認識し、そのアドレスが存在する広告配信サーバ３０にアクセスする。広告配信サーバ３０では、所定のアドレスを指定したアクセスがあると、そのアドレスに対応する広告データを、広告データ記憶手段４０から取得し、利用者端末５０に送信する。
【００１９】
利用者端末５０では、広告配信サーバ３０から広告データを受信すると、Ｗｅｂブラウザが、受信した広告データをＷｅｂページに指定された所定の位置に配置して画面に表示する。この結果、利用者端末５０の画面には、絵文字を含む文章が表示されるとともに、その絵文字に関連する広告が表示される。
【図面の簡単な説明】
【００２０】
【図１】本発明に係る関連情報推薦システムの一実施形態を示す構成図である。
【図２】絵文字辞書記憶手段２０に記憶された情報の一例を示す図である。
【図３】広告データ記憶手段４０に記憶された情報の一例を示す図である。
【符号の説明】
【００２１】
１０・・・コンテンツ収集サーバ
２０・・・絵文字辞書記憶手段
３０・・・広告配信サーバ
４０・・・広告データ記憶手段
５０・・・利用者端末
【図１】
2009175838.tif 000003
【図２】
2009175838.tif 000004
【図３】
2009175838.tif 000005